(57)【特許請求の範囲】
【請求項１】
基板と、該基板の上に形成される柔軟層と、該柔軟層の上に形成される防塵層と、を含む成形品であって、
前記防塵層は、ナノ防塵材料を採用し、且つ前記柔軟層を前記防塵層を形成する液体に浸す方法によって前記柔軟層の上に形成され、
前記ナノ防塵材料としては、ナノセラミックス材料である窒化ケイ素もしくは窒化アルミニウムを採用することを特徴とする成形品。
【請求項２】
前記柔軟層は表面に微小な凹凸部が多く形成される接着面を含み、射出成型方法で前記基板を形成する場合、その基板を形成する溶融状態の材料が前記接着面の微小な凹凸部に入り、前記基板と前記柔軟層が密接に接着されることを特徴とする請求項１に記載の成形品。
【請求項３】
前記柔軟層が皮革、織物、布の中の何れか一種から構成されることを特徴とする請求項１に記載の成形品。
【請求項４】
前記皮革と、織物及び布とを、天然皮革、人造皮革、綿織物、繊維織物、プラスチック織物、ナイロン織物から選択することを特徴とする請求項３に記載の成形品。
【請求項５】
前記基板の材料として、プラスチック、ゴム、シリコーンなどを採用することができることを特徴とする請求項１に記載の成形品。
【発明の詳細な説明】
【技術分野】
【０００１】
本発明は、成形品に関し、特に表面の手触りがよい成形品に関するものである。
【背景技術】
【０００２】
技術の発展に伴って、携帯電話、ノートパソコン、携帯情報端末(Personal Digital Assistant、ＰＤＡと略称)などの電子装置が広く使用されている。使用者は、前記電気装置の各種の機能に対して要求を提出するばかりでなく、電子装置の外観と手触りに対しても新しい要求を提出している。
【０００３】
前記電子装置の外部には、電子装置の各種の部品を保護するハウジングが設置されている。前記ハウジングは、通常プラスチックを材料とし、射出成型方法で製造したものである。射出成型方法で製造した成形品は、重さが軽く、製造コストが安く、製造方法が簡単である利点があるので、各種の領域に広く使用されている。
【０００４】
前記成形品の手触りを向上させる一方、外観を美しくするために、通常前記成形品の表面に皮革又は織物などを形成する。しかし、前記成形品の表面が滑らかな表面であるので、前記皮革又は織物が前記成形品の表面に密接に接着されることができない。即ち、前記皮革又は織物が前記成形品の表面から落ちる可能性がある。前記皮革又は織物を前記成形品の表面に密接に接着させるために、皮革又は織物と成形品の表面との間に接着層を設置することができる。前記皮革又は織物と前記成形品との間に接着層を設置すると、皮革又は織物が成形品の表面に緊密に接着されるが、その接着層により前記成形品の構造が複雑になり、製造が難しくなる。従って、成形品の製造コストが高くなる。
【０００５】
又、従来の皮革又は織物は防水性が悪いので、水又は水分により、皮革又は織物が硬くなるか、脆くなる。従って、前記成形品の手触りが悪くなる。又、従来の皮革又は織物の防塵性が悪いので、ほこり或いは汗によって、皮革又は織物が容易に汚れる。従って、前記成形品の外観も悪くなる。
【発明の開示】
【発明が解決しようとする課題】
【０００６】
以上の問題点に鑑みて、本発明は、手触りがよく、防塵性が優れる成形品を提供するのが目的とする。
【課題を解決するための手段】
【０００７】
前記課題を解決するために、基板と、その基板の上に形成される柔軟層と、その柔軟層の上に形成され、防塵性がよい防塵層と、を含む成形品を提供する。前記防塵層は、ナノ防塵材料を採用し、且つ前記柔軟層を前記防塵層を形成する液体に浸す方法によって前記柔軟層の上に形成され、前記ナノ防塵材料としては、ナノセラミックス材料である窒化ケイ素もしくは窒化アルミニウムを採用する。
【発明の効果】
【０００８】
前記成形品において、前記基板の上に柔軟層が形成されているので、成形品の手触りを向上する一方、外観も美しくなる。且つ、前記柔軟層の上に防塵層が形成されているので、水又は水分により、皮革又は織物が硬くなるか、脆くなることを防ぎ、ほこり或いは汗によって、皮革又は織物が容易に汚れることを防ぐことができる。
【発明を実施するための最良の形態】
【０００９】
以下、図面に基づいて、本発明の実施形態に係る成形品に対して詳細に説明する。
【００１０】
図１は、本発明の実施形態に係る成形品１０の断面図である。前記成形品１０は、防塵層１１と、柔軟層１２と、基板１４と、を含む。
【００１１】
前記防塵層１１は、ナノ防塵材料又は防塵インクから形成したものである。前記ナノ防塵材料として、光触媒（photocatalyst）材料であるフッ化有機シリコンナノ塗料材（fluorinated organo-silicon nanophase material）、二酸化チタンなどを採用するか、ナノセラミックス材料である窒化ケイ素、および窒化アルミニウムなどを採用することができる。前記防塵インクの材料として、エポキシ樹脂防塵インク、ポリウレタン（polyurethane）などを採用することができる。
【００１２】
前記柔軟層１２は、皮革、織物、布の中の何れか一種から構成される。前記皮革と、織物及び布は、天然皮革、人造皮革、綿織物、繊維織物、プラスチック織物、ナイロン織物などから選択することができる。本実施形態において、好ましくは、人造皮革、綿織物又はナイロン織物から構成される柔軟層１２を選択する。
【００１３】
前記柔軟層１２は、前記基板１４の上表面と接着される接着面１２２を含む。前記接着面１２２は、表面に微小な凹凸部が多く形成された粗い表面である。不同な材料で前記柔軟層１２を製造する場合、前記接着面１２２の微小な凹凸部が形成された方式が互いに違っている。例えば、綿織物などで前記柔軟層１２に形成する場合、微小な凹凸部を前記柔軟層１２に形成する場合、直接前記接着面１２２形成されるが、皮革などで前記柔軟層１２にする場合、皮革の表面に研磨などの工程を実施しなければ、微小な凹凸部を有する前記接着面１２２が形成されない。
【００１４】
前記基板１４は、射出成型方法で射出して形成したものである。前記基板１４の材料として、プラスチック、ゴム、シリコーンなどを採用することができる。前記プラスチック材料として、ポリ塩化ビニル樹脂（Polyvinyl Chloride、ＰＶＣ）、ポリエチレンテレフタレート（Polyethylene Terephthalate 、ＰＥＴ）、アクリロニトリルブタジエンスチレン（Acrylonitorile Butadiene Styrene、ＡＢＳ）、ポリカーボネート（Polycarbonate、ＰＣ）、ポリイミド（Polyimide 、ＰＩ)、液晶高分子（Liquid Crystal Polymer 、ＬＣＰ)、ポリエーテルイミド（Polyetherimide、ＰＥＩ）、ポリフェニレンサルファイド（Polyphenylene Sulfide、ＰＰＳ)、ポリスチレン（Polystyrene、ＰＳ)、ポリプロピレン（P olypropylene、ＰＰ) 等を単独或いは混合して用いることができる。好ましくは、アクリロニトリルブタジエンスチレン（ＡＢＳ）又はポリカーボネート（ＰＣ）を、前記基板１４を形成する材料とする。
【００１５】
前記アクリロニトリルブタジエンスチレン（ＡＢＳ）又はポリカーボネート（ＰＣ）と、皮革又は織物と、は密接に接着されることができる。特に、人造皮革、綿織物又はナイロン織物とさらに密接に接着されることができる。
【００１６】
前記防塵層１１をコーティング（coating）方法で前記柔軟層１２の上に形成するか、前記柔軟層１２を前記防塵層１１を形成する液体に浸す方法で柔軟層１２の上に形成することができる。後者の方法で前記防塵層１１を形成する場合、防塵層１１が柔軟層１２の全体の表面に形成される。コーティング方法で前記防塵層１１を形成する前に、柔軟層１２の表面に研磨の工程を実施して、微小な凹凸部が多い粗い接続面（図示せず）を形成する。これは、防塵層１１と柔軟層１２との間の接着力を向上させるためである。
【００１７】
射出成型方法で前記基板１４を形成する場合、その基板１４を形成する溶融状態の材料が前記柔軟層１２に接着されるので、基板１４と柔軟層１２とが一体に密着されることができる。前記基板１４と前記柔軟層１２の接着面１２２との間の接続面で、前記基板１４を形成する溶融の材料が前記接着面１２２の微小な凹凸部に入るので、両者の間の接着力が向上される。又、前記基板１４と前記柔軟層１２の接着面１２２との間の接続面積が増加されるので、両者の間の接着力がさらに向上されることができる。
【００１８】
前記成形品１０は、携帯電話、ノートパソコン、携帯情報端末などの電子装置に使用される成形品、又は、筆入れ、コップなどの各種の容器であることができる。
【００１９】
本発明の成形品１０において、前記基板１４の上に柔軟層１２が形成されているので、成形品１０の手触りを向上する一方、外観も美しくなる。且つ、射出成型方法で前記成形品１０を形成する場合、前記基板１４を形成する溶融の材料が前記柔軟層１２の接着面１２２の微小な凹凸部に入るので、柔軟層１２と基板１４が密接に接続される。且つ、前記柔軟層１２の上に防塵層１１が形成されているので、水又は水分により、皮革又は織物が硬くなるか、脆くなることを防ぎ、ほこり或いは汗によって、皮革又は織物が容易に汚れることを防ぐことができる。
【図面の簡単な説明】
【００２０】
【図１】本発明の実施形態に係る成形品の断面図である。
【符号の説明】
【００２１】
１０  成形品
１１  防塵層
１２  柔軟層
１２２  接着面
１４  基板
【図１】
0005266018.tif 000002